(57)【要約】要約課題は、ピアス孔穿孔器１において、耳たぶＥに保持できるものでありながら、部品点数を少なくし、操作性の優れたものにする事である。解決手段は、穿孔器本体２をキャッチ室８をも備えた一体型として部品点数を少なくし、ピアス針の針先部を覆蓋する針先覆蓋部４ｆを備えたピアスホルダ４をピアスホルダ室に摺動自在に組込み、該針先覆蓋部４ｆとキャッチ室８とで耳たぶＥを挟んだ状態でピアスホルダ室７側に弾性移動させ、その復元力でピアス孔穿孔器１が耳たぶＥに保持されるようにする事である。
2014091620.tif 000002
【特許請求の範囲】
【請求項１】
穿孔したい人体局所を貫通して穿孔するためのピアス針と、
該ピアス針を保持するためのピアスホルダと、
該ピアス針先端部を受け止め保持するためのキャッチと、
前記ピアスホルダをキャッチ側に移動させるための移動部材と、
該移動部材を瞬発的に移動させてピアス針の人体局所貫通と該貫通したピアス針先端部のキャッチへの保持とをさせるべく付勢される弾機と、
該弾機に付勢される移動部材の移動を係脱自在に係止して規制する規制部材と、
該規制部材の移動規制を解除して移動部材の弾機付勢力を受けた移動をさせるべく操作される操作具とを備えて構成されるピアス孔穿孔器であって、
該ピアス孔穿孔器を構成する穿孔器本体は、前記ピアス針を保持したピアスホルダ、キャッチ、移動部材、弾機、規制部材および操作具の全てが組み込まれる一体型のものとし、
ピアスホルダは、ピアス針のヘッド部を保持するホルダ本体部と、該ホルダ本体部からキャッチ側に向けて延出され、ピアス針の針先部を覆蓋する針先覆蓋部とを備えたものであり、
該ピアスホルダは、針先覆蓋部とキャッチ側との間に人体局所を遊嵌できる間隙を存する状態で穿孔器本体に形成のピアスホルダ室に対してキャッチ方向に向けて摺動自在に組込まれるものであり、該組込まれたピアスホルダのキャッチ側への移動により人体局所を針先覆蓋部とキャッチ側とで挟持したことによる針先覆蓋部のピアスホルダ室側への弾性移動に伴う復元力が穿孔器本体の人体局所への保持力の一部または全部となるように構成されていることを特徴とするピアス孔穿孔器。
【請求項２】
ピアスホルダ室には、ピアスホルダに突設した操作部が移動自在にガイドされるガイド孔が形成され、前記操作部のピアスホルダ室の外部からの操作でピアスホルダの摺動移動ができるように構成されていることを特徴とする請求項１記載のピアス孔穿孔器。
【請求項３】
針先覆蓋部には、ピアス針の針部と同径か大径でヘッド部よりは小径の貫通孔が形成され、ピアス針は、針先が貫通孔のキャッチ側端より少なくともピアスホルダ室側に位置するよう組み込まれるものとして、針先覆蓋部の針先が人体局所に当接しない弾性移動代が確保されていることを特徴とする請求項１または２記載のピアス孔穿孔器。
【請求項４】
ピアス針は、針先が貫通孔のピアスホルダ室側端と面一になる位置に位置するよう組み込まれていることを特徴とする請求項３記載のピアス孔穿孔器。
【請求項５】
ピアスホルダ室とホルダ本体とのあいだの摺接面には、摺動抵抗を与えるための抵抗処理が施されていることを特徴とする請求項１乃至４の何れか１記載のピアス孔穿孔器。
【請求項６】
規制部材と操作具とが一体化されていることを特徴とする請求項１乃至５の何れか１記載のピアス孔穿孔器。
【発明の詳細な説明】
【技術分野】
【０００１】
本発明は、耳たぶ等の人体局所にピアス用の孔を開けるためのピアス孔穿孔器の技術分野に関するものである。
【背景技術】
【０００２】
一般に、この種のピアス孔穿孔器として、例えば耳たぶにピアスを装着しようとする場合に、弾機の付勢力を利用してピアス針を瞬間的に射出し、耳たぶに該ピアス針を貫通させてピアス孔を穿孔するようにしたピアス孔穿孔器が知られている。
このもののなかには、ピアス針を安定した状態で発射して正確な位置および方向にピアス孔を穿孔するために、耳たぶに穿孔器を挟持させた状態でピアス針を発射するようにしたものがある。このようなピアス孔穿孔器として、ピアス針が装填されるピアス針保持体と、ピアス針に着脱自在に係止されるキャッチが装填されたキャッチ保持体と、ピアス針を発射する操作体とを備えて構成し、該ピアス針保持体とキャッチ保持体とのあいだに穿孔したい人体局所を入れた状態で、両保持体（ピアス針とキャッチ）と人体局所とのあいだの空隙をなくして挟持させた状態で操作体を作動させてピアス針を発射することでピアス孔を穿孔するようにしたものが知られている（例えば、特許文献１、２参照。）。
前記特許文献１のものは、キャッチが組込まれた可動体が、ピアス針を保持したピアスホルダが組込まれた穿孔器本体に対して前後移動するものであり、そして該可動体を弾機に抗して穿孔器本体側へ移動させることで穿孔器本体側と可動体側とのあいだを狭めて人体局所を挟持するように構成している。
また、特許文献２のものは、キャッチが組込まれた可動体を弾機に抗して穿孔器本体から離間させることで可動体と穿孔器本体とに間に隙間を形成し、該間隙に人体局所を入れた状態で可動体を弾機付勢力により穿孔器本体側に移動させることで耳たぶを可動体と穿孔器本体との間で挟持するように構成されている。
【先行技術文献】
【特許文献】
【０００３】
【特許文献１】特開平９−１９３１２号公報
【特許文献２】特開２０１１−２４５２２１号公報
【発明の概要】
【発明が解決しようとする課題】
【０００４】
しかしながら前記特許文献１のものは、穿孔器本体に対し、キャッチが組込まれた可動体と該可動体を付勢するための弾機とが別部品として必要になるため、その分、部品点数が多くなるという問題があるうえ、可動体を弾機に抗して移動操作した状態を維持しながらピアス針を発射させるという二重の操作が必要になるため、操作性に劣るという問題がさらにある。
これに対し特許文献２のものは、可動体を弾機を介して穿孔器本体側に付勢し、この付勢力により人体局所を挟持するものであるため、ピアス針を発射する際に、特許文献１のもののように二重の操作が必要になることはないが、キャッチが組込まれた可動体や該可動体を付勢する弾機が別部品として必要になり、部品点数が多くなるという点に関しては依然解決されておらず、これらに本発明が解決すべき課題がある。
【課題を解決するための手段】
【０００５】
本発明は、上記の如き実情に鑑みこれらの課題を解決することを目的として創作されたものであって、請求項１の発明は、穿孔したい人体局所を貫通して穿孔するためのピアス針と、該ピアス針を保持するためのピアスホルダと、該ピアス針先端部を受け止め保持するためのキャッチと、前記ピアスホルダをキャッチ側に移動させるための移動部材と、該移動部材を瞬発的に移動させてピアス針の人体局所貫通と該貫通したピアス針先端部のキャッチへの保持とをさせるべく付勢される弾機と、該弾機に付勢される移動部材の移動を係脱自在に係止して規制する規制部材と、該規制部材の移動規制を解除して移動部材の弾機付勢力を受けた移動をさせるべく操作される操作具とを備えて構成されるピアス孔穿孔器であって、該ピアス孔穿孔器を構成する穿孔器本体は、前記ピアス針を保持したピアスホルダ、キャッチ、移動部材、弾機、規制部材および操作具の全てが組み込まれる一体型のものとし、ピアスホルダは、ピアス針のヘッド部を保持するホルダ本体部と、該ホルダ本体部からキャッチ側に向けて延出され、ピアス針の針先部を覆蓋する針先覆蓋部とを備えたものであり、該ピアスホルダは、針先覆蓋部とキャッチ側との間に人体局所を遊嵌できる間隙を存する状態で穿孔器本体に形成のピアスホルダ室に対してキャッチ方向に向けて摺動自在に組込まれるものであり、該組込まれたピアスホルダのキャッチ側への移動により人体局所を針先覆蓋部とキャッチ側とで挟持したことによる針先覆蓋部のピアスホルダ室側への弾性移動に伴う復元力が穿孔器本体の人体局所への保持力の一部または全部となるように構成されていることを特徴とするピアス孔穿孔器である。
請求項２の発明は、ピアスホルダ室には、ピアスホルダに突設した操作部が移動自在にガイドされるガイド孔が形成され、前記操作部のピアスホルダ室の外部からの操作でピアスホルダの摺動移動ができるように構成されていることを特徴とする請求項１記載のピアス孔穿孔器である。
請求項３の発明は、針先覆蓋部には、ピアス針の針部と同径か大径で、キャッチ側から針先を目視することができる貫通孔が形成され、ピアス針は、針先が貫通孔のキャッチ側端より少なくともピアスホルダ室側に位置するよう組み込まれるものとして、針先覆蓋部の針先が人体局所に当接しない弾性移動代が確保されていることを特徴とする請求項１または２記載のピアス孔穿孔器である。
請求項４の発明は、ピアス針は、針先が貫通孔のピアスホルダ室側端と面一になる位置に位置するよう組み込まれていることを特徴とする請求項３記載のピアス孔穿孔器である。
請求項５の発明は、ピアスホルダ室とホルダ本体とのあいだの摺接面には、摺動抵抗を与えるための抵抗処理が施されていることを特徴とする請求項１乃至４の何れか１記載のピアス孔穿孔器である。
請求項６の発明は、規制部材と操作具とが一体化されていることを特徴とする請求項１乃至５の何れか１記載のピアス孔穿孔器である。
【発明の効果】
【０００６】
請求項１の発明とすることにより、穿孔器本体が、キャッチまでも組み込まれる一体型のものとなって、可動体を不要にし、しかもピアスホルダを移動させて人体局所を挟持したとき、ピアスホルダに形成の針先覆蓋部の弾性変形に伴う復元力を利用して穿孔器本体を人体局所に保持するための保持力を確保できるため、該保持するため専用の弾機が必要となることがなく、部品点数を少なくできるものでありながら、前記保持された状態で操作体により規制部材の解除操作をすればよいため、二重操作が不要になって操作性の良いものとなる。
請求項２の発明とすることにより、ピアスホルダの移動操作をピアスホルダ室の外部から行うことができて操作性に優れたものとなる。
請求項３の発明とすることにより、針先が人間局所に当接しない範囲の針先覆蓋部の弾性変形代が確保できるため針先が外部に突出することがなく、穿孔位置を移動するような場合に、針先が皮膚に当たって傷つけてしまうようなことを防止できる。
請求項４の発明とすることにより、針先覆蓋部の肉厚分の長い弾性変形代を確保できることになって、針先による傷付け防止を図る状態で人体局所に穿孔器本体を保持させることができる。
請求項５の発明とすることにより、針先覆蓋部がピアスホルダ室側に弾性変形した場合の復元力を受けて針先覆蓋部がキャッチ側に移動して穿孔器本体が人体局所から外れてしまうことを回避することができる。
請求項６の発明とすることにより、さらなる部品点数の低減が可能となる。
【図面の簡単な説明】
【０００７】
【図１】（Ａ）（Ｂ）（Ｃ）（Ｄ）はピアス穿孔器の平面図、右側面図、左側面図、正面図である。
【図２】（Ａ）（Ｂ）（Ｃ）（Ｄ）（Ｅ）は穿孔器本体の左半部の平面図、右側面図、正面図、右半部の右側面図、正面図である。
【図３】（Ａ）（Ｂ）（Ｃ）（Ｄ）（Ｅ）（Ｆ）はピアスホルダの一半部の平面図、右側面図、背面図、正面図、左側面図、断面右側面図である。
【図４】ピアス穿孔器の分解斜視図である。
【図５】（Ａ）（Ｂ）（Ｃ）（Ｄ）はピアス穿孔器の購入時点である初期姿勢、耳挟み姿勢、発射準備完了姿勢、発射後姿勢を示す説明図である。
【図６】（Ａ）（Ｂ）は第二の実施の形態を示すピアスホルダの分解斜視図、ピアス孔穿孔器の斜視図である。
【図７】第三の実施の形態を示すピアス孔穿孔器の斜視図である。
【図８】（Ａ）（Ｂ）（Ｂ）（Ｄ）は第四の実施の形態を示す初期姿勢、発射準備完了姿勢、発射後姿勢をそれぞれ示す説明図、ピアス孔穿孔器の底面図である。
【発明を実施するための形態】
【０００８】
次に、本発明の実施の形態について、図面に基づいて説明する。尚、本実施の形態を説明するに当たり、便宜上、図１（Ｂ）の上側を上（平面）、下側を下（底面）、右側を前（正面）、左側を後（背面）、手前側を右（右側）、奥側を左（左側）と方向性をつけて説明するが、これらの方向性についてはこれに限定されないものであることはいうまでもない。
図面において、１はピアス孔穿孔器であって、該ピアス孔穿孔器１は、右側面視凹形状（図１（Ｂ）参照）をした箱型の穿孔器１の本体２と、ピアス針３を収容するピアスホルダ４とで構成されている。
前記本体２は、半割り状のケース体Ａ、Ｂを突き合わせて組み付けることで略矩形状をしたものとして形成されているが、これらケース体Ａ、Ｂは、互いに突き合わせたとき雄雌嵌合する（図示せず）ことで位置合わせされた状態で一体化するようになっているが、基本的には対称形となっている。尚、ケース体Ａ、Ｂの一体化は接着剤、超音波融着による接着等、通常知られた手法をさらに採用することができる。
【０００９】
そして次に、これらケース体Ａ、Ｂを組み付けた状態の本体２について詳述する。
本体２は、壁によって以下に記す各室に区分けされている。図２、４において、右下部分に形成されるリリース室５と、右上部分（該リリース室５の右上部分）に形成されるシャフト室６と、中央上部分（該シャフト室６の左側）に形成されるピアスホルダ室７と、左端部分（リリース室５とピアスホルダ室７の左側）に形成されるキャッチ室８とを備えて構成されている。
【００１０】
前記リリース室５は、後述するピアス針３を発射する際に操作するリリース（本発明の「操作体」に相当する。）９を備えた部屋であって、リリース室５の前端壁５ａには、円部５ｂと凸部５ｃとで鍵孔５ｄが形成されている。
一方、リリース９は、前後方向に長い円柱形状をしていて、ピアス孔穿孔器１の購入時点の初期姿勢においては、リリース９の前端部９ａは鍵孔５ｄを貫通してリリース室５から外に突出しているが、該突出したリリース前端部９ａの外周面に形成された係止凸部９ｂは、鍵孔凸部５ｃから位置ズレした状態になっており、これによってリリース９は、係止凸部９ｂが前記鍵孔５ｄの円部５ｂ周縁部に外側から係止することになって不用意に鍵孔５ｄ内に没入しないように構成されている。
さらに、リリース９の中間部には他部分よりも大径となった大径部９ｃが形成されているが、該大径部９ｃの後端側面９ｄは後端側ほど幅狭となるように傾斜した傾斜面９ｄとなっている。
また、リリースの後端部９ｅは、リリース室５の左右底面から突設した保持部５ｆに摺動自在に貫通保持されているが、前記初期姿勢においては、保持部５ｆと傾斜面９ｄの後端とのあいだに、後述するストッパ（本発明の「規制部材」に相当する。）１０の板厚分の隙間が確保されている。
そして、後述するピアス針３を発射する際には、係止凸部９ｂが鍵孔凸部５ｃ位置に至るよう軸心回りに回転させて発射準備完了姿勢（図５（Ｃ）参照）とし、この状態でリリース前端部９ａを本体２内に押し込むことで、リリース９を後方に移動できるようになっている。
尚、５ｅは、前記回転させた係止突部９ｂが鍵孔凸部５ｃ位置を越えて回転しないよう位置決めするための位置決め突起である。
【００１１】
シャフト室６は、前記リリース９の押し込み操作によって円柱形状のシャフト（本発明の「移動部材」に相当する。）１２を発射するための部屋であって、該シャフト室６は、前後方向中間位置に設けた第一仕切り壁６ａによって前後のシャフト小室６ｂ、６ｃに仕切られているが、該前後のシャフト小室６ｂ、６ｃは、第一仕切り壁６ａに開設した円弧状の第一連通孔６ｄによって連通した状態となっている。
【００１２】
前記ストッパ１０は、上下方向に長い板状態に形成されているが、上下方向中間部がリリース室５とシャフト室６とのあいだを仕切る第二仕切り壁２ａにおいて、前記第一仕切り壁６ａに対して前側に隣接する状態で開設した貫通孔２ｂに摺動自在に貫通しており、これによってストッパ１０は、リリース室５と前側シャフト小室６ｂとに亘るように構成されている。
ストッパ１０のリリース室５側にある下端部には、前記リリース大径部９ｃが貫通可能な大きさのリリース側貫通孔１０ａが形成されているが、前記発射準備完了姿勢に至るまでは、ストッパ１０は上動位置にあって、リリース９は、リリース側貫通孔１０ａの下端部がリリース大径部９ｃの傾斜面９ｄ後端に当接する状態でリリース側貫通孔１０ａに貫通している。
また、ストッパ１０の前側シャフト小室６ｂ側にある上端部には、第一仕切り壁６ａに開設した第一連通孔６ｄと同様のシャフト側貫通孔１０ｂが開設されているが、前記ストッパ１０が上動位置にある発射準備完了姿勢に至るまでは、シャフト側貫通孔１０ｂが上動しており、これによってストッパ１０は第一連通孔６ｄの一部を塞いで（狭めて）いる。
【００１３】
シャフト室６には、第一仕切り壁６ａに開設した第一連通孔６ｄ、ストッパ１０のシャフト側貫通孔１０ｂを遊嵌状に貫通する前後方向に長いシャフト１２が配設されている。該シャフト１２の前後方向中間部には、前側シャフト小室６ｂに介装した弾機１１の後端を受ける弾機受け１２ａが大径状に形成されているが、弾機受け１２ａの外径は、前記第一連通孔６ｄ、前記シャフト側貫通孔１０ｂの内径よりも小さくなっている。そして前記発射準備完了姿勢に至るまでは、弾機受け１２ａは、前記上動位置にあって第一連通孔６ｄの一部を塞いでいるストッパ１０の第一連通孔６ｂの周縁部に係止することになっており、これによってシャフト１２が弾機１１による付勢力を受けて後側へ瞬発的な発射移動するのを係脱自在に規制するようになっている。
【００１４】
次に、ピアスホルダ室７は、第三仕切り壁２ｃを介して後側シャフト小室６ｃと仕切られているが、該第三仕切り壁２ｃには、シャフト１２は貫通するが弾機受け１２ａは貫通しない大きさの第二連通孔２ｄが開設されている。
またピアスホルダ室７には、半割り状のピアスホルダ４が前後方向移動自在に内装されているが、該ピアスホルダ４は、ピアス針３を内部に備えたものであって、上下対称に配置された一対のホルダ半部４ａ、４ｂを上下方向から突き合わせることで略矩形状に形成されるものである。
【００１５】
ピアスホルダ４は、図３に示すように、ピアス針３のヘッド部３ａと、ピアス針３の針部３ｃの後半部とを収容する収容溝４ｃが設けられた半円柱形状の本体部４ｄと、該本体部４ｄの後端の左右方向中央位置から上下方向に向けて弧状に延出形成される延出部４ｅと、該延出部４ｅの末端であってピアス針の針先部３ｂを覆蓋する針先覆蓋部４ｆと、前記本体部４ｄの左右の割り面部位（左右端の上下方向中央位置）から左右方向に突設した操作突起４ｇとを備えて構成されている。
針先覆蓋部４ｆは、ホルダ半部４ａ、４ｂ同士を突き合わせたとき、ピアスホルダ４に保持されたピアス針３の針先端部３ｂを隠して露出しないよう互いに突き合せられるようになっている。そしてピアス針３をピアスホルダ４に組み込んだ場合に、針先部３ｂの先端が、針先覆蓋部４ｆのピアスホルダ室７側の端と一致、つまり面一となる状態で組み付けられており、これにより、針先部３ｂの先端が皮膚表面に当接するまでの針先覆蓋部４ｆの弾性移動代が針先覆蓋部４ｆの肉厚分だけ確保されるようになっているが、針先部３ｂの位置は、針先覆蓋部４ｆのピアスホルダ室７側の端の前後にずらすように設定できることは勿論である。
因みに延出部４ｅは、後述するように針先覆蓋部４ｆを弾性移動させるため弾性変形することになるが、そのためには外側に湾曲状に膨出する形状に限定されず、例えばく字形、コ字形のものとすることができ、さらに膨出方向は内側であっても勿論良い。
針先覆蓋部４ｆの前面（ピアスホルダ室７側面）には、ピアスホルダ４に保持されたピアス針３の針先３ｂをキャッチ側から目視することができる貫通孔４ｈが形成されている。この貫通孔４ｈは、針部３ｃの径と同径がこれよりも大径であるが、ヘッド部３ａよりは小径になっている。
また操作突起４ｇは、ピアスホルダ室７の左右両側面に形成のガイド孔７ａから先端が突出する状態でガイド孔７ａに対して前後方向摺動自在に内嵌しており、そして該操作突起４ｇに指を当てて前後移動させることで、ピアスホルダ４はピアスホルダ室７を前後方向に移動調節できるように構成されている（図５（Ａ）参照）。
尚、ピアスホルダ室７とホルダ本体部４ｄとのあいだの摺接面には、セレーション溝（図示せず：本実施の形態では小さい波状の溝であって、本発明の「抵抗処理」に相当する。）が互いに形成されていて、ピアスホルダ４を移動させたときに山越えをして「コク、コク・・・」という移動操作感を付与すると共に、ピアスホルダ４のピアスホルダ室７に対する摺動移動に抵抗を与えて、後述する発射準備完了姿勢となったときのピアスホルダ４の不用意な戻りを防止できるようになっている。抵抗処理としては、セレーション溝Ｘに限定されるものではなく、摺接面にシボ模様を施して摺動抵抗を与えるようにしたり、軽圧入状態にして摺動抵抗を与えるようにする等、通常知られた抵抗付与処理を採用することができる。
【００１６】
そしてピアスホルダ４がピアスホルダ室７に収容された初期姿勢においては、針先覆蓋部４ｆと後述するキャッチ室８とのあいだには、穿孔したい人体局所である耳たぶＥを遊嵌するだけの隙間Ｓが確保されている。
因みに、本実施の形態においては、前記ピアスホルダ室７に、該ピアスホルダ室７に保持されたピアスホルダ４の本体部４ｄを目視するため本実施の形態では前後方向に長い長孔となる目視窓７ｂが形成されている。そしてこの目視窓７ｂを外部から覗くことで、無色透明樹脂材で形成された本体部４ｄを通してピアスホルダ４に保持されたピアス針３のヘッド部３ａの状態（色、形状等）を視認できるようになっている。
【００１７】
また、キャッチ室８は、ピアス針３を嵌入して支持固定するためのキャッチ１３を収容する部屋であり、リリース室５から後方に向けて略Ｌ字状に突出形成されたものであり、該キャッチ室８には、キャッチ１３を係止するための係止溝８ａが左右方向に向けて切欠き形成されている。
そして、該係止溝８ａにキャッチ１３の大径な先端部１３ａを着脱自在に係止することでキャッチ１３を収容するようになっている。
【００１８】
次に、本発明のピアス孔穿孔器１を用いて、耳たぶ等にピアス孔を穿孔する手順について説明する。
まず、図５（Ａ）に示すピアス孔穿孔器１の購入時点である初期姿勢において、リリース９は、前端部９ａの係止凸部９ｂが鍵孔５ｄに外側から係止することで、リリース室５から外に突出した状態となっている。このときストッパ１０は上面が前側シャフト小室６ｂの上側壁６ｅに当接する上動位置になっており、リリース９傾斜面９ｄ後端がリリース側貫通孔１０ａに係止すると共に、シャフト１２の弾機受け１２ａがシャフト側貫通孔１０ｂに係止した状態となっている。さらに、ピアスホルダ４は、ピアスホルダ室７内の前端である第三仕切り壁２ｃに当接するように収容されている。そして、これらによって初期姿勢ではリリース９、シャフト１２の移動が規制されており、ピアスホルダ４が発射しないように構成されている。
そして、この初期状態において、ピアスホルダ４とキャッチ室８との間の隙間Ｓ部分に耳たぶＥを遊嵌し、耳たぶＥの後面をキャッチ室８前端８ｂに当接させる。
【００１９】
次に、図５（Ｂ）に示すように、ピアスホルダ４の操作突起４ｇを後方にスライド移動させて、耳たぶＥを針先覆蓋部４ｆとキャッチ室前端８ｂとで挟み込むが、このとき、ピアス孔穿孔器１は耳挟み姿勢の初期姿勢となる。
しかも、本実施の形態において、針先覆蓋部４ｆの後端に設けられる目視溝４ｈの中心部位（ピアスホルダ４が透明であるため溝孔の中心部位を確認することができる。）を耳たぶＥのピアス針３の穿孔位置に押し当てることができるため、使用者は視覚や触覚によって穿孔位置を確認することができるように構成されている。そしてこの状態から図５（Ｃ）に示すように、さらにピアスホルダ４をキャッチ室８側に移動させると、延出部４ｅが膨らむように弾性変形することになって針先覆蓋部４ｆがピアスホルダ室７側に弾性移動することになり、このとき発揮される復元力によりピアス穿孔器１は耳たぶＥに押圧状に保持される。このときの針先覆蓋部４ｆの弾性移動量は、針先が耳たぶＥに当接する直前位置までであることが好ましく、このように移動させることで、ピアス穿孔器１による穿孔位置を、ピアス穿孔器１が耳たぶＥに保持される状態で耳たぶＥを傷つけることなく移動調整することができることになる。
【００２０】
その後、図５（Ｃ）に示すように、ピアスホルダ４とキャッチ室８とによる耳挟み状態を維持したまま、リリース前端部９ａを軸芯周りに回転させて、係止凸部９ｂが鍵孔凸部５ｃ位置に至るようにすることで、発射準備完了姿勢となる。そして、この発射準備完了姿勢になって初めて、リリース９を後方へ押し込む操作をすることが可能となる。
【００２１】
そして次に、前記発射準備完了姿勢から、図５（Ｄ）に示すように、リリース前端部９ａを鍵孔５ｄから後方へ押し込むことになるが、この押し込み操作によりリリース９が後方に移動することになり、これによってストッパ１０のリリース側貫通孔１０ａ下端部分を下方向に当接しているリリース大径部傾斜面９ｄが、ストッパ１０を下方に移動させる状態で後方に移動することになり、ストッパ１０は下方に移動して下動位置となる。なおこのときストッパ１０は、保持部５ｆによって支持されることで、リリース９の移動に連動して後方に移動しようとするのが規制されることになって、確実に下方に移動することができるように構成されると共に、リリース９も傾斜面９ｄが保持部５ｆ前端面まで移動すると、それ以上は後方へ移動しないように構成されている。
このストッパ１０の下方移動に伴って、ストッパ１０のシャフト側貫通孔１０ｂが下方に移動して第一連通孔６ｄと連通した状態となることにタイミングを合わせて、シャフト１２の弾機受け１２ａによる係止が外れ、これによってシャフト１２は、弾機１１による付勢力を受けて後方へ向けて瞬発的に発射し、第三仕切り壁２ｃに開設される第二連通孔２ｄに弾機受け１２ａが係止するまで後方へ瞬時に移動する。
すると、シャフト１２の後端が第二連通孔２ｄから飛び出してくることで、ピアスホルダ４は瞬発的な力によって後方へ向けて瞬発的にピアスホルダ室７から押し出され発射移動することになってピアス針３が耳たぶＥ内を貫通することになるが、このとき、ピアスホルダ４はピアスホルダ室７から押し出されることに伴って、ホルダ半部４ａ、４ｂが上下に分かれると共に、ピアス針３の先端３ｂが露出した状態となってピアス針３が耳たぶＥを穿孔していき、先端３ｂがキャッチ１３に嵌入、係止し、これによってピアス孔穿孔器１は図５（Ｄ）に示す発射後姿勢となる。
【００２２】
このようにして耳たぶＥの穿孔が終わると、本体２を下方に移動させて、キャッチ１３をキャッチホルダ室８から抜き出し、これによって、一連の耳たぶＥへのピアス孔の穿孔が完了する。
【００２３】
なお、本実施の形態において、耳挟み姿勢とした後に、リリース９のリリース前端部９ａを係止凸部９ｂが鍵孔凸部５ｃ位置に至るように軸芯周りに回転させたが、これはリリース９の誤操作による不用意な発射を防ぐためであって、予めリリース９を係止凸部９ｂが鍵孔凸部５ｃ位置に至るように軸芯周りに回転させた状態のピアス孔穿孔器１を、耳たぶＥにあてがった後に耳挟み姿勢とすることで、この耳挟み姿勢がそのまま発射準備完了姿勢とすることも可能である。
【００２４】
叙述のごとく構成された本発明の実施の形態において、ピアス孔穿孔器１を構成する穿孔器本体２は、ピアス孔穿孔器１の構成部材として必要なピアス針３を保持したピアスホルダ４、キャッチ１３、シャフト１２、弾機１１、ストッパ１０およびリリース９の全てが組み込まれる一体型のものとしていて、従来のように、本体２に対し、キャッチ１３が組込まれたキャッチ受けを移動自在に設けたもののように別部材としてのキャッチ受けが必要でなく、その分、部品点数を少なくすることができる。
【００２５】
そして本体２に形成のピアスホルダ室７に摺動自在に組み込まれるピアスホルダ４の本体部４ｄからは、延出部４ｅを介して針先覆蓋部４ｆが形成されていて針先３ｂが露出しないよう覆蓋しているため、指が針先部３ａに不用意に触って傷つけたり、針先部３ａを汚してしまったりすることを防止できる。
【００２６】
一方、ピアス針３で耳たぶＥにピアス孔を穿孔するには、針先覆蓋部４ｆとキャッチ室８とのあいだの間隙Ｓに耳たぶＥを遊嵌した状態で操作突起４ｇに指を添えてピアスホルダ４をキャッチ室８側に摺動させ、針先覆蓋部４ｆとキャッチ室８とに耳たぶＥが当接する姿勢からさらにピアスホルダ４をキャッチ室８側に移動させて、針先３ｂが耳たぶＥに当接する直前位置まで移動させることで、針先覆蓋部４ｆは、延出部４ｅが弾性変形することでピアスホルダ室７側に弾性移動することになり、この復元力を受けてピアス穿孔器１は耳たぶＥを押圧（弾圧）する状態で保持される。この状態でピアスはｌ３による穿孔位置を調整し、その後、リリース９を軸心回りに回して係止突部９ｂがリリース室５の鍵孔５ｄに一致させる。
このようにしてピアス針３の発射準備ができたら、リリース９の前端部９ａを指で押し込むと、ストッパ１０が移動し、これにより該ストッパ１０によるシャフト１０の移動規制が解除されることになって、シャフト１２は弾機１１の付勢力を受けてピアスホルダ４に向けて瞬発的に発射される。この発射したシャフト１２がピアスホルダ４に激突することでピアスホルダ４がピアスホルダ室７から発射することにタイミングを合わせてピアスはｌ３が耳たぶＥを穿孔し、キャッチ１３に係止する。
【００２７】
このように本発明が実施されたものにおいては、耳たぶＥに対するピアス穿孔器１の保持力は、針先覆蓋部４ｆが弾性移動することに伴う復元力を利用して得ているため、弾機１１の付勢力を受けてピアスはｌ３が耳たぶＥに瞬間的にピアス孔を形成するものでありながら、従来のようにキャッチ受けを移動させて該キャッチ受けと本体側との間に耳たぶを挟むもののように、キャッチ受けを強制移動させるための弾機が不要になり、その分、さらに部品点数を少なくすることができる。
因みに、耳たぶＥに対するピアス穿孔器１の保持力の大きさは、針先覆蓋部４ｆの弾性移動量により変化することになるため、その移動量が小さい場合には保持力の一部であり、大きい場合には保持力の全てを発揮できることになる。
【００２８】
この場合に、ピアスホルダ室７に、ピアスホルダ４に突設した操作突起４ｇが移動自在にガイドされるガイド孔７ａが形成されていて、前記操作突起４ｇをピアスホルダ室７の外部から操作することでピアスホルダ４の摺動移動ができるため、操作性のよいピアスホルダ４の移動ができる。
【００２９】
そのうえ針先覆蓋部４ｆには、ピアス針３の針部３ｃと同径か大径で、かつヘッド部３ａよりは小径な貫通孔４ｈが形成されているため、ピアス針３が発射されて耳たぶＥを貫通する際、針部３ｃの移動を針先覆蓋部４ｆが邪魔して針部３ｃの貫通位置がずれてしまうことがなく、しかも貫通孔４ｈよりも大径なヘッド部３ａが貫通孔４ｈに当たることによりホルダ半部４ａ、４ｂ同士が弾けるように離間することになってホルダ半部４ａ、４ｂが耳たぶＥの貫通の邪魔をすることがない。
【００３０】
さらにピアス針３は、針先３ｃが貫通孔４ｈのピアスホルダ室側端と面一、つまり針先覆蓋部４ｆのピアスホルダ室側端と面一になっているため、針先覆蓋部４ｆの肉厚分、針先３ｂが皮膚に当るまでの針先覆蓋部のピアスホルダ室７側への弾性移動代として確保することができるたる、ピアス穿孔器１の耳たぶＥへの保持力を大きく確保できながら、この保持状態で針先３ｂは貫通孔４ｈに挿入しているため、発射時、ピアス針３が位置ズレしてしまうことを防止することができる。
しかも発射時、ピアスホルダ４の移動により針先覆蓋部４ｆがさらにピアスホルダ室７側に相対移動するため、針先覆蓋部４ｆによる耳たぶＥの保持力が強くなって耳たぶＥの不用意な移動を阻止して狙い定めた位置への穿孔がより確実になる。
【００３１】
そのうえこのものでは、ピアスホルダ室７とホルダ本体部４ｄとのあいだの摺接面に摺動抵抗を与えるための抵抗処理が施されているため、前述したように針先覆蓋部４ｆをキャッチ室８側に移動させることに伴う針先覆蓋部４ｆの弾性移動に基づいてピアス孔穿孔器１を耳たぶＥに保持させた場合に、その復元力を受けて針先覆蓋部４ｆがピアスホルダ室７側に戻り移動して保持力が低下してしまうことが防止できることになって、確実な保持ができることになる。
【００３２】
本発明は、前記第一の実施の形態に限定されないものであることは勿論であって、例えば、図６〜図８に示す第二〜第四の実施の形態のように構成することもできる。なお、前記第一の実施の形態と同じ機能、構成のものについては詳細な説明は省略する。
【００３３】
図６に示す第二の実施の形態のピアス孔穿孔器２１は、上下対称に配置された一対のホルダ半部２４ａ、２４ｂで構成されるピアスホルダ２４に設ける操作突起２４ｇを、左右の割り面部位ではなく上側ホルダ半部２４ａの上面に設けた点が第一の実施の形態と相違するものである。そして、該操作突起２４ｇは、本体２２に設けられるピアスホルダ室２７の上側面に形成のガイド孔２７ａから先端が突出する状態でガイド孔２７ａに対して前後方向摺動自在に内嵌しており、これによってピアスホルダ２４がピアスホルダ室２７を前後方向に移動することになって、耳挟み姿勢とすることができるように構成されている。
【００３４】
しかもこのものでは、前記ピアスホルダ２４には、上側ホルダ半部２４ａに凹部２４ｃを形成すると共に、下側ホルダ半部２４ｂに前記凹部２４ｃに遊嵌状に内嵌する凸部２４ｄが形成されており、これによって操作突起２４ｇが、ピアスホルダ室２７の上側面にのみ突出しているものであっても、上下ホルダ半部２４ａ、２４ｂを突き合わせた状態で上下ホルダ半部２４ａ、２４ｂが位置ズレすることがなく、操作突起２４ｇを前後方向に移動操作しやすいように構成されている。
【００３５】
また図７に示す第三の実施の形態のものは、ピアスホルダ３４の延出部３４ｅが左右方向に向けて突出しているものであって、このようにしても実施することができる。
【００３６】
さらに図８に示す第四の実施の形態のものは、操作具であるリリースと規制部材であるストッパとが一体化されたものである。つまりストッパ部４１０にはシャフト４１２側の貫通孔４１０ｂのみが穿設されているが、該貫通孔４１０ｂは、第一連通孔４６ｄに対して下側に偏倚していて弾機受け４１２ａに係止している。
一方、ストッパ部４１０の下端部と一体になったリリース部４９は、穿孔器本体４２の下端部に設けた貫通孔４２２ｂから下側に貫通して、フランジ状をしていて貫通孔４２２ｂを貫通可能な形状をした操作部４９ａの周縁部が、初期姿勢（図８（Ａ）参照）では貫通孔４２２ｂの周縁部に下側から係止している。この状態で、ピアスホルダ４４を移動してピアス孔穿孔器４１を耳たぶに保持させた後、操作部４９ａを後方に移動させて発射準備完了姿勢とする（図８（Ｂ）参照）。
この姿勢から操作部４９ａを上方に向けて押し操作すると、貫通孔４１０ｂが上動して第一連通孔４６ｂと同心状に連通することになって弾機受け４１２ａの係止が解除され、これによってシャフト４１２が弾機４１１の付勢力を受けて発射され、ピアス針４３による耳たぶの穿孔ができるようになっている。
そしてこのようにしたものでは、操作具であるリリースと規制部材であるストッパとが一体化されるため、さらなる部品点数の低減が図れることになる。
【産業上の利用可能性】
【００３７】
本発明は、耳たぶ等の人体局部にピアス孔を穿孔するためのピアス孔穿孔器の分野に利用することができる。
【符号の説明】
【００３８】
１    ピアス孔穿孔器
２    穿孔器本体
３    ピアス針
４    ピアスホルダ
４ｆ  針先覆蓋部
５    リリース室
６    シャフト室
７    ピアスホルダ室
８    キャッチ室
９    リリース
１０    ストッパ
１１    弾機
１２    シャフト
１３    キャッチ
Ｓ    間隙
【図１】
2014091620.tif 000003
【図２】
2014091620.tif 000004
【図３】
2014091620.tif 000005
【図４】
2014091620.tif 000006
【図５】
2014091620.tif 000007
【図６】
2014091620.tif 000008
【図７】
2014091620.tif 000009
【図８】
2014091620.tif 000010
【国際調査報告】
2014091620.tif 000011
2014091620.tif 000012
2014091620.tif 000013
2014091620.tif 000014